【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
遠隔通信を介してアクセス可能な信託アカウントと、
遠隔通信を介してアクセス可能な銀行口座と、
前記銀行口座を介して前記信託アカウントのファンドへの適時のアクセスを提供する一方で、前記銀行口座のファンドの一貫性のあるバランスを維持するために、前記銀行口座を通して前記信託アカウントへ、又はそこから電子的にファンドを渡すことができるように、前記信託アカウントと銀行口座とを連結するよう動作可能なスイッチと
を具備することを特徴とするシステム。
【請求項２】
前記スイッチを通じて前記銀行口座以外へ資金振替を実行できるクレジットカードをさらに具備し、前記スイッチは、前記銀行口座内に、又はその外に資金の振替を実行するために、前記クレジットカードの使用に応答して、前記銀行口座の前記一貫性のあるバランスを維持するように、前記連結されたアカウントへ借方と貸付とを同時に提供するようさらに動作可能であることを特徴とする請求項１に記載のシステム。
【請求項３】
遠隔通信を介してアクセス可能な信託アカウントと、
遠隔通信を介してアクセス可能な銀行口座と、
前記銀行口座を通じて前記信託アカウントへ電子的にファンドを渡すことができるように、及び前記信託アカウントを通じてファンドを管理できるように、前記信託アカウントと前記銀行口座との間の通信をルートするスイッチと
を具備することを特徴とするシステム。
【請求項４】
前記一つ以上のサブ信託アカウントは、無限数のネストサブアカウントを収容するように構成され、前記サブ信託アカウント及びネストサブ信託アカウントは、前記信託アカウントレベルでファンドを合計することができる許容投資を特定するように構成され、ファンドは、予め選択された投資ストラテジのアプリケーションを通じて金融収益を提供する前記許容投資に投資されることを特徴とする請求項３に記載のシステム。
【請求項５】
前記信託アカウントは、多数のサブ信託アカウントを具備し、
前記多数のサブ信託アカウントはそれぞれ、前記スイッチを介して対応する銀行口座にリンクされ、
前記多数のサブ信託アカウントのファンドは、自動更新ベースでシームレスに合計され、
前記多数のサブ信託アカウントファンドの合計量は、オーバーナイト許可スイープ投資を含む、許可された投資に対する投資からの収益を獲得するために投資されるよう構成されることを特徴とする請求項４に記載のシステム。
【請求項６】
スイッチを含む通信インフラを介して信託アカウントと銀行口座との間の通信をルートする過程と、
前記信託アカウントのファンドを管理するために前記スイッチを介して前記銀行口座を通じて前記信託アカウントへファンドを電子的に渡す過程と
を具備することを特徴とする方法。
【請求項７】
前記方法は、非銀行系エンティティのために銀行系エンティティによってデビットカードを発行する過程を具備することを特徴とする請求項６に記載の方法。
【請求項８】
投資する資金残高を許可するよう構成された信託アカウント要素と、
投資取引を少なくとも部分的に相殺するパススルー活動のために構成された銀行口座要素と、
前記銀行口座要素と、信託アカウント要素とを通信可能に連結するよう構成された通信構造と
を具備することを特徴とするシステム。
【請求項９】
前記通信構造は、信託アカウント要素への自動的な資金振替を許可するよう構成されたロジックを具備し、
前記信託アカウント要素は、特定のデビットカードに関連付けられた銀行口座要素にリンクされ、
前記通信構造は、前記特定のデビットカードに関連付けられた前記銀行口座要素を介して前記信託アカウント要素以外に資金振替を実行するよう構成されたロジックをさらに具備することを特徴とする請求項８に記載のシステム。
【請求項１０】
資金残高を管理するために使用可能な信託型構造と、
前記信託型構造へ、及びそこから資金振替を行うために通信インフラを介して前記信託型構造へ連結されたデビットカードと
を具備することを特徴とするシステム。
【請求項１１】
前記銀行口座は、前記信託型構造を用いてパススルー活動のために構成されることを特徴とする請求項１０に記載のシステム。
【請求項１２】
多数のユーザを収容する機能をさらに具備し、
銀行口座は、パススルー活動のために構成され、多数のデビットカードは、対応するユーザによって使用可能であり、
前記多数のデビットカードは、前記信託型構造にリンクされ、
前記信託型構造は、前記多数のユーザに対するユーザ固有のサブ信託構造で構成され、前記多数のユーザは、関連するデビットカードのデビットカード取引による料金を支払うよう構成され、前記ユーザ固有のサブ信託構造に貸方記入される投資取引からファンドを受け取るよう構成される
ことを特徴とする請求項１１に記載のシステム。
【請求項１３】
ネットワークを介して通信するよう構成されたネットワーク化された信託アカウントとネットワーク化された銀行口座とに使用するための装置であって、
前記ネットワーク化された信託アカウントと前記銀行口座との両方が、前記銀行口座の一貫性のあるバランスを維持する一方、前記ネットワークを介して投資取引に関わることができるように、前記両方を連結するために構成されたスイッチを具備することを特徴とする装置。
【請求項１４】
前記スイッチは、対応する口座名義人が前記ネットワークを介して対応するアカウントに関連する取引を実行できるようにするため、前記名義人の対応する信託アカウントと対応する銀行口座とに通信するようさらに構成されることを特徴とする請求項１３に記載の装置。
【請求項１５】
ネットワークを通じて通信可能なネットワーク化された信託アカウントとネットワーク化された銀行口座とを操作する方法であって、
通信インフラを介して前記ネットワーク化された信託アカウントと前記ネットワーク化された銀行口座との間の資金振替を実行する過程を具備することを特徴とする方法。
【請求項１６】
前記資金振替を実行する過程は、実行された取引による料金を支払うために、前記信託アカウントに対するユーザ固有の信託サブアカウントから資金を振替する過程と、
前記ユーザ固有のサブアカウントに対して前記資金を振替及び貨方記入する過程と
を具備することを特徴とする請求項１５に記載の方法。
【請求項１７】
前記資金の振替を実行する過程は、前記銀行口座を介して金融活動を渡す過程を具備することを特徴とする請求項１５に記載の方法。
【請求項１８】
一つ以上の信託型エンティティからの投資資金のプーリングを許可するために、前記一つ以上の信託型エンティティを連結するよう動作可能なスイッチと、
前記プーリングされた投資資金を受け取り又は投資するために、前記スイッチを通じて連結された投資実行メカニズムと
を具備することを特徴とするシステム。
【請求項１９】
前記スイッチは、基準通貨を採用するように、及び前記基準通貨以外の任意の通貨に変換して保持すべき信託型エンティティサブアカウントバランスを許可するように構成されることを特徴とする請求項１８に記載のシステム。
【請求項２０】
前記投資実行メカニズム、マスター銀行口座、保管口座、及び有価証券アカウント間での通信を可能にするための通信インフラをさらに具備することを特徴とする請求項１８に記載のシステム。
【請求項２１】
一つ以上の信託型サブアカウントに投資するためのファンドを保持するよう構成されたプラットフォーム構造と、
前記サブアカウントによって保持されたファンドを用いて一つ以上の投資取引を実行するよう構成された取引通信構造と、
関連付けられた銀行口座を介して、前記サブアカウントによって保持されたファンドにアクセスするよう構成されたネットワーク通信構造と
を具備することを特徴とするシステム。
【請求項２２】
前記プラットフォーム構造は、ユニット所有者が全ユニット所有者のユニット所有権に関連してユニット所有者のユニット所有権に比例して信託財産の部分的所有利益を有するユニット参加型信託を具備するよう構成され、及びユニット所有者の部分的所有利益が前記ユニット所有者の利益のために信託型エンティティに保持されるよう構成されることを特徴とする請求項２１に記載のシステム。
【請求項２３】
通信インフラを通じて参加信託型エンティティの一つ以上のサブアカウントで保持されたファンドにアクセスすることにより、アクセスされたファンドが、前記参加信託型エンティティの前記一つ以上のサブアカウントに対応するそれぞれ一つ以上の銀行口座を通過する過程と、
前記アクセスされたファンドを合計する過程と
を具備することを特徴とする方法。
【請求項２４】
前記参加信託型エンティティの一つ以上のサブアカウントに財産を与え、前記参加信託型エンティティの比例所有利益を証明するノートを引換えに受け取る過程をさらに具備することを特徴とする請求項２３に記載の方法。